(57)【要約】【課題】多方向送風ハンドドライヤーの提供。【解決手段】本多方向送風ハンドドライヤーは、高圧気流発生装置とハウジングを包含する。該ハウジングは、使用者の手部を挿入させる第１開口と、該第１開口に連通するハンドドライ空間を包含する。該ハンドドライ空間は第１壁面と該第１壁面に対向する第２壁面を包含し、該第１壁面と該第２壁面の間に該ハンドドライ空間に対向する少なくとも一つの第３壁面が設けられる。該第１壁面と該第２壁面の少なくとも一方に、第１空気送風ノズルが設けられ、該第３壁面に第２空気送風ノズルが設けられ、該第１、第２空気送風ノズルは該高圧気流発生装置に接続され、並びに第１出力気流軸と第２出力気流軸を具えてそれらの方向にそれぞれ高圧気流を送出し、該第１出力気流軸と第２出力気流軸は該ハンドドライ空間中で交叉する。【選択図】図１
2013034837.tif 000002
【特許請求の範囲】
【請求項１】
多方向送風ハンドドライヤーにおいて、
高圧気流を発生する高圧気流発生装置（２０）と、
ハウジング（１０）であって、使用者の手部が挿入される第１開口（１２）と、該第１開口（１２）に連通するハンドドライ空間（１１）を包含し、該ハンドドライ空間（１１）は、第１壁面（１１１、１１１ａ）及び該第１壁面（１１１、１１１ａ）に対向する第２壁面（１１２、１１２ａ）を有し、該第１壁面（１１１、１１１ａ）と該第２壁面（１１２、１１２ａ）の間に該ハンドドライ空間（１１）に対向する少なくとも一つの第３壁面（１１３、１１３ａ）が設けられ、該第１壁面（１１１、１１１ａ）と該第２壁面（１１２、１１２ａ）の少なくとも一つに第１空気送風ノズル（１４）が設けられ、該第３壁面（１１３、１１３ａ）は第２空気送風ノズル（１５）を有し、該第１空気送風ノズル（１４）と該第２空気送風ノズル（１５）は該高圧気流発生装置（２０）に接続されて該高圧気流を噴出し、該第１空気送風ノズル（１４）の噴出する高圧気流及び該第２空気送風ノズル（１５）の噴出する高圧気流がそれぞれ第１出力気流軸（ａ）と第２出力気流軸（ｂ）を具え、該第１出力気流軸（ａ）及び該第２出力気流軸（ｂ）が該ハンドドライ空間（１１）中で交叉する、上記ハウジング（１０）と、
を包含したことを特徴とする、多方向送風ハンドドライヤー。
【請求項２】
請求項１記載の多方向送風ハンドドライヤーにおいて、該第１壁面（１１１、１１１ａ）、該第２壁面（１１２、１１２ａ）及び該第３壁面（１１３、１１３ａ）は相互に接続されて該ハンドドライ空間（１１）を包囲し閉じていることを特徴とする、多方向送風ハンドドライヤー。
【請求項３】
請求項１記載の多方向送風ハンドドライヤーにおいて、該第１壁面（１１１、１１１ａ）、該第２壁面（１１２、１１２ａ）或いは該第３壁面（１１３、１１３ａ）に開放口（１１４、１１４ａ）が設けられ、該開放口（１１４、１１４ａ）は該ハンドドライ空間（１１）に連通することを特徴とする、多方向送風ハンドドライヤー。
【請求項４】
請求項１記載の多方向送風ハンドドライヤーにおいて、該第１出力気流軸（ａ）及び該第２出力気流軸（ｂ）の夾角（θ１、θ２）は９０°以上であることを特徴とする、多方向送風ハンドドライヤー。
【請求項５】
請求項１記載の多方向送風ハンドドライヤーにおいて、該第１出力気流軸（ａ）及び該第２出力気流軸（ｂ）の夾角（θ１、θ２）は９０°より小さいことを特徴とする、多方向送風ハンドドライヤー。
【請求項６】
請求項１記載の多方向送風ハンドドライヤーにおいて、該第１壁面（１１１）と該第３壁面（１１３）の間に第１角（α）を具えたことを特徴とする、多方向送風ハンドドライヤー。
【請求項７】
請求項１記載の多方向送風ハンドドライヤーにおいて、該第２壁面（１１２）と該第３壁面（１１３）の間に第２角（β）を具えたことを特徴とする、多方向送風ハンドドライヤー。
【請求項８】
請求項１記載の多方向送風ハンドドライヤーにおいて、該第１壁面（１１１）、該第２壁面（１１２）或いは該第３壁面（１１３）が円弧面構造を呈することを特徴とする、多方向送風ハンドドライヤー。
【請求項９】
請求項１記載の多方向送風ハンドドライヤーにおいて、該第１壁面（１１１）、該第２壁面（１１２）或いは該第３壁面（１１３）が平面構造を呈することを特徴とする、多方向送風ハンドドライヤー。
【請求項１０】
請求項１記載の多方向送風ハンドドライヤーにおいて、該ハンドドライ空間（１１）中の、該第１開口（１２）に対向する方向に、使用者の手部を伸出させるための第２開口（１３）を具えたことを特徴とする、多方向送風ハンドドライヤー。
【請求項１１】
請求項１記載の多方向送風ハンドドライヤーにおいて、該高圧気流発生装置（２０）は該ハウジング（１０）中に設置されることを特徴とする、多方向送風ハンドドライヤー。
【発明の詳細な説明】
【技術分野】
【０００１】
本発明は一種のハンドドライヤーに係り、特に一種の多方向送風ハンドドライヤーに関する。
【背景技術】
【０００２】
人々の生活品質に対する要求が高くなるにつれ、日常の多くの細かい衛生面が重視されるようになった。生活で最も明らかなターゲットは公衆便所である。初期の多くの公衆便所が使用者が自分でタッチして操作しなければならなかったが、センサで使用者の使用状態を検出して自動運転するものへと進歩している。また、使用者は手を洗った後には、手についた水を振り落とさねばならなかったが、専用のペーパータオルが具備されるように進歩した。しかし、環境保護意識が台頭し、森林資源が重視されるようになり、ハンドドライヤーが流行し、次第にペーパータオルに取って代わっている。
【０００３】
現在、ハンドドライヤーの様式は多くあり、その主要なハンドドライ達成の原理は、モータを利用して羽根を回転させて空気を吸入し、空気を加熱し、熱風を送出し、手を乾かす目的を達成することにほかならない。現在ある技術中、たとえば特許文献１、２に共通の部分は、ハンドドライヤーの外部に送風口が設けられ、並びに送風口より排出される気体により使用者の手部を乾かす。しかしこれら二つの特許は僅かに単一の送風口しか有さず、且つその送風方向は単一方向であり、使用者が使用する時、スピーディーに乾かせず、且つハンドドライヤーの送風口領域の範囲が小さすぎ、送風量が有限で、大量の電気エネルギーを使用しなければ手を完全に乾かすことができない。
【０００４】
このほか、特許文献３−５には、前述のハンドドライヤーとは異なる設計が記載されている。この設計は、手挿入部を具え、手挿入部の前後２側それぞれに複数の送風口が設けられ、前後の２方向送風の態様を形成し、掌と手の甲に同時に風を受けて乾燥できるほか、使用者の手の熱を受ける範囲が増加されている。
【０００５】
前述の特許は送風口数量を増し、及び前後に双方向送風を行う形式により、ハンドドライ領域を広げ、これによりハンドドライにかかる時間を節約する。この設計は伝統的な単一で且つ単一方向送風のハンドドライヤーの問題を効果的に改善するものの、前後の二方向の送風が発生する気流は局限され、僅かに使用者の手部の対応する２面に送風できるにすぎない。使用者はハンドドライヤー中で反復して両手を上下に移動させて前後方向の送風を受けて、掌と手の甲を乾燥させられるが、手部の隙間、たとえば指の間、爪の部分は湿った状態のままである。
【先行技術文献】
【特許文献】
【０００６】
【特許文献１】台湾実用新案第Ｍ３５７２７１号明細書
【特許文献２】台湾特許第５７９８１３号明細書
【特許文献３】米国特許第７５５５２０９号明細書
【特許文献４】米国特許第７６５７１６２号明細書
【特許文献５】国際特許第ＷＯ  ２００７／０２０６９９号明細書
【発明の概要】
【発明が解決しようとする課題】
【０００７】
本発明の主要な目的は、伝統的なハンドドライヤーが僅かに単一方向か前後方向にしか送風できず、完全には乾燥させられず及び長時間の乾燥時間を必要とする問題を克服することにある。
【課題を解決するための手段】
【０００８】
上述の目的を達成するため、本発明は一種の多方向送風ハンドドライヤーを提供し、それは、高圧気流を発生する高圧気流発生装置と、ハウジングを包含する。
【０００９】
該ハウジングは、使用者の手部が挿入される第１開口と、該第１開口に連通するハンドドライ空間を包含する。該ハンドドライ空間は、第１壁面と該第１壁面に対向する第２壁面、該第１壁面と該第２壁面の間に設けられて該ハンドドライ空間に対向する少なくとも一つの第３壁面を包含する。該第１壁面と該第２壁面の少なくとも一つに第１空気送風ノズルが設けられ、該第３壁面は第２空気送風ノズルを有する。該第１空気送風ノズルと該第２空気送風ノズルは該高圧気流発生装置に接続されて該高圧気流を噴出し、該第１空気送風ノズルの噴出する高圧気流及び該第２空気送風ノズルの噴出する高圧気流はそれぞれ第１出力気流軸と第２出力気流軸を具え、該第１出力気流軸及び該第２出力気流軸が該ハンドドライ空間中で交叉する。該第１出力気流軸と該第２出力気流軸の夾角は、９０°より大きいか或いは小さいか或いは９０°に等しい。
【００１０】
本発明の多方向送風ハンドドライヤーが適用可能な構造は、該該第１壁面、該第２壁面及び該第３壁面が相互に接続されて該ハンドドライ空間を包囲し閉じているか、該第１壁面、該第２壁面或いは該第３壁面に開放口が設けられ、該開放口が該ハンドドライ空間に連通する。該第１壁面と該第３壁面の間或いは該第２壁面との間に、第１角或いは第２角を具える。該第１壁面、第２壁面或いは第３壁面は設計の必要により円弧面或いは平面構造とされ得る。
【００１１】
本発明の多方向送風ハンドドライヤーは、水平伸入型ハンドドライヤー或いは垂直伸入型ハンドドライヤーに応用可能である。水平伸入型ハンドドライヤーの形態中、該ハンドドライ空間中の、該第１開口に対向する方向に、使用者の手部を伸出させる第２開口を具えている。
【発明の効果】
【００１２】
本発明の多方向送風ハンドドライヤーの特徴は以下のとおりである。
１．伝統的な単一方向或いは前後２方向の空気供給方式のほかに、使用者のハンドドライ過程中にその他の方向からの高圧気流を提供する。
２．多種類の異なる方向の送風を提供し、掌が多方向からの高圧気流を受けることができ、各部分に対して同時に乾燥を行え、使用者が反復して手を移動させる必要がなく、短時間内に完全乾燥の効果を達成できる。
【図面の簡単な説明】
【００１３】
【図１】本発明の多方向送風ハンドドライヤーの実施例の外観立体図である。
【図２】本発明の多方向送風ハンドドライヤーの実施例の透視構造表示図である。
【図３】本発明の多方向送風ハンドドライヤーの別の実施例の構造外観図である。
【図４】本発明の多方向送風ハンドドライヤーの切欠きを有する環状構造の実施例の構造外観図である。
【図５】本発明の多方向送風ハンドドライヤーの別の切欠きを有する環状構造の実施例の構造外観図である。
【発明を実施するための形態】
【００１４】
本発明の技術内容、構造特徴、達成する目的を詳細に説明するため、以下に実施例を挙げ並びに図面を組み合わせて説明する。
【００１５】
図１及び図２を参照されたい。それは本発明のある実施例の外観立体図及び構造透視表示図である。図示されるように、本発明は一種の多方向送風ハンドドライヤーとされ、それは、高圧気流を発生する高圧気流発生装置（２０）、及びハウジング（１０）を包含する。本発明中、該高圧気流発生装置（２０）は独立して該ハウジング（１０）外に設置可能であるほか、該ハウジング（１０）内に設置してもよい。本実施例は後者を採用している。
【００１６】
該ハウジング（１０）は使用者の手部を挿入する第１開口（１２）と、該第１開口（１２）に連通するハンドドライ空間（１１）を包含する。本発明は水平伸入式ハンドドライヤーと垂直伸入式ハンドドライヤーに適用可能であるが、本実施例は水平伸入式ハンドドライヤー構造を採用しているため、該ハンドドライ空間（１１）中の該第１開口（１２）に対向する方向に、さらに、使用者の手部を伸出させる第２開口（１３）を有する。該第１開口（１２）と該第２開口（１３）は相互に連通し、使用者は往復して該ハンドドライ空間（１１）中に手を差し込める。
【００１７】
該ハンドドライ空間（１１）は第１壁面（１１１）と該第１壁面（１１１）に対向する第２壁面（１１２）を包含する。該第１壁面（１１１）と該第２壁面（１１２）の間には該ハンドドライ空間（１１）に対向する少なくとも一つの第３壁面（１１３）が設けられている。本実施例では、該第３壁面（１１３）の数量は二つとされて、それぞれ第１壁面（１１１）と第２壁面（１１２）の両側に設置される。
【００１８】
該第１壁面（１１１）には第１空気送風ノズル（１４）が設けられ、該第１空気送風ノズル（１４）は必要に応じて第２壁面（１１２）に設置可能である。該第３壁面（１１３）には少なくとも一つの第２空気送風ノズル（１５）が設けられる。該第１空気送風ノズル（１４）と該第２空気送風ノズル（１５）はそれぞれ該高圧気流発生装置（２０）に接続され、該高圧気流発生装置（２０）はブロワーとされ得て、導管を介して高圧気流を該第１空気送風ノズル（１４）と該第２空気送風ノズル（１５）に送り、該第１空気送風ノズル（１４）、第２空気送風ノズル（１５）は該ハンドドライ空間（１１）に向けて高圧気流を噴出できる。
【００１９】
本発明中、該第１空気送風ノズル（１４）の噴出する高圧気流は第１出力気流軸（ａ）を、該第２空気送風ノズル（１５）の噴出する高圧気流は第２出力気流軸（ｂ）を有し、該第１出力気流軸（ａ）と該第２出力気流軸（ｂ）は該ハンドドライ空間（１１）中で交叉する。本実施例中、該第１出力気流軸（ａ）と該第２出力気流軸（ｂ）の夾角θ１は９０°に等しい。
【００２０】
本発明のハンドドライ空間（１１）は設計上の必要に応じて、多角形或いは円形態様に構成可能である。図１、図２に示されるハンドドライヤーは四角形のハンドドライ空間（１１）を有し、該第１壁面（１１１）、第２壁面（１１２）、及び第３壁面（１１３）はいずれも平面構造を呈する。該第１壁面（１１１）と該第２壁面（１１２）は相互に平行に、該ハンドドライ空間（１１）の上下位置に設置され、二つの第３壁面（１１３）は該ハンドドライ空間（１１）の左右位置に設置される。該第３壁面（１１３）はそれぞれ第１壁面（１１１）及び該第２壁面（１１２）との間に第１角（α）と第２角（β）を形成する。
【００２１】
別の実施態様について、図３の本発明の多方向送風ハンドドライヤーの別の実施例の構造外観図を参照されたい。該ハンドドライ空間（１１）は円形態様に設計され、該第１壁面（１１１ａ）、第２壁面（１１２ａ）或いは第３壁面（１１３ａ）はいずれも円弧面構造とされ、相互に接続されて閉じた環形構造を形成している。該第１壁面（１１１ａ）に設置される該第１出力気流軸（ａ）と該第３壁面（１１３ａ）に設置される該第２出力気流軸（ｂ）の間に形成される夾角θ２は、第１空気送風ノズル（１４）、第２空気送風ノズル（１５）の位置により選択的に９０°より大きいか小さいか、或いは９０°に等しくされる。
【００２２】
本発明は多種類のハンドドライヤーの構造態様に応用可能である。本実施例中、図１、図２及び図３に示されるように、該第１壁面（１１１）、該第２壁面（１１２）、及び該第３壁面（１１３）は相互に接続されて該ハンドドライ空間（１１）を囲み、完全な環状構造を形成する。或いは、図４及び図５に示されるように、本発明は並びに前述の完全な環状構造に限定されるわけではなく、該第１壁面（１１１、１１１ａ）、第２壁面（１１２、１１２ａ）或いは第３壁面（１１３、１１３ａ）に開放口（１１４、１１４ａ）が設けられ、該開放口（１１４、１１４ａ）が該ハンドドライ空間（１１）に連通するものとされる。こうして、切欠きを有する環状構造が形成される。
【００２３】
総合すると、本発明の多方向送風ハンドドライヤーは、相互に対応する第１壁面、第２壁面上に、第１空気送風ノズルが設けられ、また、該第１壁面と該第２壁面の間に該ハンドドライ空間に対向する第３壁面が増加され、並びに該第３壁面に第２空気送風ノズルが設置されている。これにより、使用者の手部をハンドドライヤーに挿入する時に、掌と手の甲の両方に高圧気流を受けることができるほか、側方の高圧気流も受けることができ、細かい隙間も風を受けることができ、これにより、風を受ける面積を増して多方向乾燥の効果を達成し、有効にハンドドライ効率をアップし乾燥の品質を確保できる。これにより、本発明はきわめて進歩性を有し、特許の要件に符合し、ここに特許出願する次第です。
【００２４】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００２５】
（１０）ハウジング
（１１）ハンドドライ空間
（１２）第１開口
（１３）第２開口
（１１１、１１１ａ）第１壁面
（１１２、１１２ａ）第２壁面
（１１３、１１３ａ）第３壁面
（１４）第１空気送風ノズル
（１５）第２空気送風ノズル
（２０）高圧気流発生装置
（ａ）第１出力気流軸
（ｂ）第２出力気流軸
（α）第１角
（β）第２角
【図１】
2013034837.tif 000003
【図２】
2013034837.tif 000004
【図３】
2013034837.tif 000005
【図４】
2013034837.tif 000006
【図５】
2013034837.tif 000007